(57)【特許請求の範囲】
【請求項１】
プラスチック製トレイに入れられた被包装物を被覆したラップフィルム表面の一部に貼着された引張片と、前記引張片および前記ラップフィルムを同じ内径で貫通するように針状体で穿孔して形成されたピンホール状の貫通部とを備えた被覆フィルム開封構造。
【請求項２】
前記引張片の表面に、前記貫通部を被覆する封止材を貼着した請求項１記載の被覆フィルム開封構造。
【請求項３】
前記引張片の周縁の少なくとも一部に非貼着部を設けた請求項１または２記載の被覆フィルム開封構造。
【請求項４】
前記貫通部と前記引張片を複数箇所に形成した請求項１〜３のいずれかに記載の被覆フィルム開封構造。
【発明の詳細な説明】
【０００１】
【発明の属する技術分野】
本発明は、ラップフィルムやシュリンクフィルムなどの各種フィルム材で包装された物品を簡単に開封するための被覆フィルム開封構造に関する。
【０００２】
【従来の技術】
スーパマーケット、コンビニエンスストア、惣菜店あるいは弁当店などで取り扱われている各種食料品の包装形態は様々であるが、プラスチック製トレイなどの容器に入れて周囲をラップフィルムで包装された形で陳列、販売されているものが多い。
【０００３】
ラップフィルムを用いた包装は、接着剤や粘着テープなどの封止用副資材や封止器具などが不要で包装作業が容易であり、密封性も比較的良好で、外から被包装物が見えやすいなどの長所があるため、近年、その使用は増加している。特に、販売店において製造（調理）および包装を行う食料品は殆どがラップフィルムによる包装である。
【０００４】
ラップフィルムで包装された物品を開封する場合、商品の底面などに位置するラップフィルム辺縁同士の重ね合わせ部分を探って、ラップフィルムの辺縁部分を見つけ出し、この部分を手指で摘んで剥がすように引っ張ることによってラップフィルム全体を剥離している。
【０００５】
また、ラップフィルムの辺縁部分が見つけ難いときは、刃物などを用いてラップフィルムの一部に切れ目を入れ、この切れ目部分を広げるように力を加えることによってラップフィルムを切り開いているが、刃物類が手近にないときは、ラップフィルムの一部を両手で掴み、それぞれ左右に強く引っ張ることによってラップフィルムを強引に引き裂くこともある。
【０００６】
一方、パック入りジュースなどは、１２〜２０本程度の本数を一まとめにして、パックの下半分が収納される程度の浅い蓋なし段ボール箱に詰め込み、これらのパック入りジュースおよび段ボール箱全体をシュリンクフィルムで包装した状態で出荷されている。この場合、シュリンクフィルムは輸送中の衝撃などによって破損、亀裂することのない高い強度を有する、ポリプロピレン、ポリエチレンあるいは塩化ビニルなどの素材によって形成されている。
【０００７】
したがって、このような包装形態で配送されてきたパック入りジュースを販売店の店頭などに陳列する場合、シュリンクフィルムの上面をカッタナイフなどで切り裂いた後、段ボール箱からパック入りジュースを取り出している。
【０００８】
【発明が解決しようとする課題】
ラップフィルムは薄い素材であり、ラップフィルムの重ね合わせ部分では互いに強く密着しているため、重ね合わせ部分を探ってラップフィルムの辺縁部分を見つけることは意外に難しく、特に、不器用な人、手先が不自由な人、視力の弱い人などにとっては困難な作業である。
【０００９】
一方、刃物類を使ってラップフィルムに切れ目を入れる開封方法は、刃物類が手近にないときは実行できない。また、ラップフィルムを手で引き裂く開封方法は、手先の力の弱い子供や老人は実行できないだけでなく、誤って力を入れ過ぎるとラップフィルムが引き裂かれた瞬間に中身が飛び出すことがあったり、一定方向でなければ切れ難い性質のラップフィルムもあるため、開封作業をスムーズに行うには、コツや要領が必要である。
【００１０】
また、販売店などにおいて、段ボール箱およびシュリンクフィルムで包装された状態で配送されたパック入りジュースなどを取り出す場合、左右の指先で引っ張る程度の力でシュリンクフィルムを引き裂くことは不可能であるため、前述したように、カッタナイフなどを用いてシュリンクフィルム上面を切り裂いているが、切断作業中にカッタナイフの刃先が誤ってパックに触れ、表面を傷付けたり、パック自体を切り裂いてしまうことがある。
【００１１】
本発明が解決しようとする課題は、製作が容易で、刃物などの道具類を使うことなく、簡単に開封可能な被覆フィルム開封構造を提供することにある。
【００１２】
【課題を解決するための手段】
前記課題を解決するため、本発明の被覆フィルム開封構造は、被包装物を被覆する被覆フィルムに形成された貫通部と、この貫通部を被覆する位置に貼着された引張片とを備えたことを特徴とする。このような構成とすることにより、引張片の周縁部分を手指で摘んで被覆フィルムから引き剥がしていくと、引張片が被覆フィルムの貫通部位置を剥がされていくとき、この貫通部が被覆フィルムの切れ目発生源となり、貫通部周囲の被覆フィルムの一部が引張片に貼着されたまま引っ張られていくため、被覆フィルムは引張片の引っ張り動作に伴ってある幅をもって切り裂かれていく。したがって、刃物などの道具類を使うことなく、被覆フィルム包装物品を簡単に開封することが可能となる。
【００１３】
また、本発明の被覆フィルム開封構造は、被包装物を被覆するフィルム表面の一部に貼着された引張片と、引張片および被覆フィルムを貫通して形成された貫通部とを備えたことを特徴とする。このような構成とすることにより、前述と同様、引張片の周縁部分を手指で摘んで被覆フィルムから引き剥がすことにより、刃物などの道具類を使うことなく、被覆フィルム包装物品を簡単に開封することが可能となる。
【００１４】
ここで、前記引張片の表面に、貫通部を被覆する封止材を貼着することが好ましい。これにより空気や水分などの通過を阻止できるため、被覆フィルムの密封性を確保することができる。
【００１５】
前者の被覆フィルム開封構造は、被包装物を被覆する被覆フィルムの適切な位置に貫通部を形成し、この貫通部を被覆するように引張片を貼着するだけでよいので、製作は容易であり、被覆フィルムの密封性を損なうこともない。また後者の被覆フィルム開封構造は、被包装物を被覆する被覆フィルムの適切な位置に引張片を貼着した後、引張片および被覆フィルムを貫通する貫通部を形成するだけでよい。なお、貫通部の形状は、加工容易なピンホール状や円形状が好適であるが、被覆フィルムの材質、厚さ、強度、亀裂方向性などに応じて、円弧状、半月状、刺股状、多角形状、直線状、曲線状、交差線状、放射線状あるいはこれらを組み合わせた形状などすることが望ましく、これによって、被包装物の種類や用途に適した開封作業性を得ることができる。
【００１６】
前記被覆フィルムに貼着された引張片の周縁の少なくとも一部に非貼着部を設けることにより、非貼着部を手指で摘んで引張片の剥離を開始することができるので、開封作業がさらに容易となる。
【００１７】
前記貫通部と引張片を複数箇所に形成することにより被覆フィルムの切れ目発生源が増加して、引張片を引き剥がしたときこれらの貫通部のいずれかから必ず切れ目が生じ確実に被覆フィルムが切り裂かれるようになるため、開封ミスをなくすことができる。
【００１８】
【発明の実施の形態】
以下、本発明の実施の形態を図面に基づいて説明する。図１は第１実施形態の被覆フィルム開封構造を示す斜視図、図２は図１に示す被覆フィルム開封構造に基づく開封手順を示す斜視図である。
【００１９】
本実施形態では、プラスチック製トレイ１０に入れられた被包装物１１が、被覆フィルムの一種であるラップフィルム１２によって被覆され、ラップフィルム１２表面の一部に、平面視が略四辺形の引張片１３が貼着され、この引張片１３およびラップフィルム１２を共に貫通する貫通部としてピンホール１３ａ，１２ａが形成されている。引張片１３周縁の一部には、ラップフィルム１２に接着しない非貼着部１３ｂが形成され、引張片１３の表面には非貼着部１３ｂの位置を示すマーク１３ｃが描かれている。
【００２０】
このようなラップフィルム包装物品１５を開封する場合、図２（ａ）に示すように、マーク１３ｃで示された引張片１３の非貼着部１３ｂを手指で摘んでラップフィルム１２から引き剥がしていく。引張片１３がピンホール１３ａ，１２ａの位置を剥がされていくとき、ピンホール１２ａがラップフィルム１２の切れ目発生源となり、図２（ｂ）に示すように、ピンホール１２ａ周囲のラップフィルム１２の一部が引張片１３に貼着された状態で引っ張られていく。このようにして、ラップフィルム１２は引張片１３の引っ張り動作に伴ってある幅をもって切り裂かれていき、ラップフィルム１２を切り開くことができる。
【００２１】
したがって、刃物などの道具類を使ったり、手指の爪を立ててラップフィルムに切れ目をいれたり、両手でラップフィルムを強引に引っ張ったりすることなく、ラップフィルム包装物品１５を簡単に開封することができる。
【００２２】
このようなラップフィルム開封構造は、プラスチック製トレイ１０に入れた被包装物１１をラップフィルム１２で被覆し、ラップフィルム１２表面上の適切な位置に引張片１３を貼着した後、針状体などを用いて、引張片１３およびラップフィルム１２を貫通するピンホール１３ａ，１２ａを穿孔するだけでよいので、製作は容易である。
【００２３】
次に、図３を参照して、第２実施形態の被覆フィルム開封構造について説明する。本実施形態では、被覆フィルムの一種であるラップフィルム２２表面の一部に、平面視が円形の引張片２３が貼着され、この引張片２３およびラップフィルム２２を貫通する貫通部としてピンホール２３ａ，２２ａが形成されている。引張片２３の外周には、ラップフィルム２２に接着しない非貼着部２３ｂが全周にわたって形成されている。
【００２４】
ラップフィルム２２を開封する場合、引張片２３の非貼着部２３ｂを手指で摘んでラップフィルム２２から引き剥がしていく。図２と同様、引張片２３がピンホール２３ａ，２２ａの位置を剥がされていくとき、ピンホール２２ａがラップフィルム２２の切れ目発生源となり、ピンホール２２ａ周囲のラップフィルム２２の一部が引張片２３に貼着されたまま、ある幅をもって引っ張られていく。このようにして、ラップフィルム２２を容易に切り裂いていくことができる。
【００２５】
引張片２３は平面視が円形であり、その外周全体にわたって非貼着部２３ｂが形成されているため、いずれの方向からでも引張片２３の剥離作業を開始することが可能であり、利便性に優れている。その他の機能、効果については図１，２に示す被覆フィルム開封構造と同様である。
【００２６】
次に、図４を参照して、第３実施形態の被覆フィルム開封構造について説明する。本実施形態では、被覆フィルムの一種であるラップフィルム３２表面の一部に、平面視が略三角形の引張片３３が貼着され、この引張片３３およびラップフィルム３２を貫通する貫通部として複数のピンホール３３ａ，３２ａが形成されている。引張片３３の３つの頂点付近には、ラップフィルム３２に接着しない非貼着部３３ｂが形成されている。
【００２７】
ラップフィルム３２を開封する場合、引張片３３の非貼着部３３ｂのいずれか１ヶ所を手指で摘んでラップフィルム３２から引き剥がしていく。図２と同様、引張片３３がいずれかのピンホール３３ａ，３２ａの位置を剥がされていくとき、ピンホール３２ａがラップフィルム３２の切れ目発生源となり、ピンホール３２ａ周囲のラップフィルム３２の一部が引張片３３に貼着されたまま、ある幅をもって引っ張られていく。このようにして、ラップフィルム３２を容易に切り裂いていくことができる。
【００２８】
本実施形態では、引張片３３およびラップフィルム３２に複数のピンホール３３ａ，３２ａが形成されているため、ラップフィルム３２の切れ目発生源が前述の実施形態より増加している。したがって、引張片３３を引き剥がしたとき、これらのピンホール３２ａのいずれかから必ず切れ目が生じ、確実にラップフィルム３２が切り裂かれるため、開封ミスが生じない。その他の機能、効果などについては、前述した被覆フィルム開封構造と同様である。
【００２９】
次に、図５を参照して、本発明の第４実施形態について説明する。本実施形態では、プラスチック製トレイ４０に入れられた被包装物４１が被覆フィルムの一種であるラップフィルム４２によって被覆され、ラップフィルム４２表面の一部に、平面視が略四辺形の引張片４３が貼着され、この引張片４３およびラップフィルム４２を貫通する貫通部としてピンホール４３ａ，４２ａが形成されている。引張片４３の表面には、ピンホール４３ａ，４２ａを被覆する封止材４４が貼着されている。
【００３０】
引張片４３の表面に貼着された封止材４４により、空気や水分などがピンホール４３ａ，４２ａを通過するのを阻止することができるため、ラップフィルム４２の密封性を確保することができる。その他の機能、効果などについては、前述した被覆フィルム開封構造と同様である。
【００３１】
次に、図６を参照して、本発明の第５実施形態について説明する。本実施形態では、プラスチック製トレイ５０に入れられた被包装物５１が被覆フィルムの一種であるラップフィルム５２によって被覆され、ラップフィルム５２表面の一部に形成された貫通部であるピンホール５２ａを被覆する位置に、平面視が略四辺形の引張片５３が貼着されている。
【００３２】
図２と同様、マーク５３ｃで示された方向から引張片５３の周縁部分を手指で摘んでラップフィルム５２から引き剥がしていく。引張片５３がピンホール５２ａの位置を剥がされていくとき、ピンホール５２ａがラップフィルム５２の切れ目発生源となり、ピンホール５２ａ周囲のラップフィルム５２の一部が引張片５３に貼着されたまま、ある幅をもって引っ張られていく。このようにして、ラップフィルム５２は切り裂かれていく。
【００３３】
この被覆フィルム開封構造は、ラップフィルム５２の適切な位置にピンホール５２ａを形成し、このピンホール５２ａを被覆するように引張片５３を貼着するだけでよいので、製作は容易であり、ラップフィルム５２の密封性を損なうこともない。その他の機能、効果などについては、前述したラップフィルム開封構造と同様である。
【００３４】
以上の実施形態においては、プラスチック製トレイに入れられた被包装物を被覆するラップフィルムの開封構造について説明しているが、本発明はこれらに限定するものではないので、ラップフィルム以外の被覆フィルムを用いて包装された商品、例えば、カセットテープ、ビデオテープ、ＭＤ、ＣＤなど、あるいはシュリンクフィルムで包装されたパック入りジュースなどの被覆フィルム開封構造として、包装物品全般にわたって広く採用することができる。
【００３５】
次に、図７を参照して、その他の実施形態である被覆フィルム開封構造について説明する。図７（ａ）〜（ｅ）はその他の実施形態である被覆フィルム開封構造を示す部分平面図であり、被包装物（図示せず）を被覆する被覆フィルム６０〜６４の表面の一部に貫通部６５〜６９が形成され、これらの貫通部６５〜６９を被覆する位置に、平面視が略四辺形の透明な引張片７０〜７４が貼着されている。引張片７０〜７４の一方の辺縁部分にはそれぞれ、引張片７０〜７４を剥離しやすくするための非貼着部７０ａ〜７４ａが形成されている。
【００３６】
図７（ａ）〜（ｅ）に示す実施形態においては、被覆フィルム６０〜６４に形成された貫通部６５〜６９の形状がそれぞれ異なっている。図７（ａ）に示す貫通部６５は円弧状であり、図７（ｂ）に示す貫通部６６は刺股形状であり、図７（ｃ）に示す貫通部６７は三角形状であり、図７（ｄ）に示す貫通部６８は曲線と直線とを組み合わせた形状であり、図７（ｅ）に示す貫通部６９は直線を十文字に交差させた形状である。
【００３７】
前述した実施形態の場合と同様、引張片７０〜７４の非貼着部７０ａ〜７４ａを手指で摘んで図面の矢線方向へ引っ張り、被覆フィルム６０〜６４から引き剥がしていく。引張片７０〜７４が貫通部６５〜６９の位置から剥離するとき、貫通部６５〜６９がそれぞれ被覆フィルム６０〜６４の切れ目発生源となり、貫通部６５〜６９周囲の被覆フィルム６０〜６４の一部が引張片７０〜７４に貼着された状態で引っ張られていく。このようにして、被覆フィルム６０〜６４は引張片７０〜７４の引っ張り動作に伴って、ある幅をもって切り裂かれていき、被覆フィルム６０〜６４を容易に切り開くことができる。
【００３８】
このように、被覆フィルム６０〜６４の材質、厚さ、強度、亀裂方向性などに応じて、それぞれ形状の異なる貫通部６５〜６９を形成することにより、被包装物の種類や用途に適した開封作業性を得ることができる。その他の機能、効果などについては前述した実施形態の場合と同様である。なお、貫通部の形状はこれらに限定するものではないので、図６に示すもののほかに、例えば、半月状、多角形状、直線状、曲線状、放射線状あるいはこれらを組み合わせた形状など用途に応じた形状にすることができる。
【００３９】
【発明の効果】
本発明により、以下に示す効果を奏する。
【００４０】
（１）被包装物を被覆する被覆フィルムに形成された貫通部と、この貫通部を被覆する位置に貼着された引張片とを備えたことにより、引張片の周縁部分を手指で摘んで被覆フィルムから引き剥がしていくと、引張片が被覆フィルムの貫通部の位置から剥離されるとき、貫通部が被覆フィルムの切れ目発生源となり、貫通部周囲の被覆フィルムの一部が引張片に貼着されたまま引っ張られ、被覆フィルムはある幅をもって切り裂かれていく。このようにして、刃物などの道具類を使うことなく被覆フィルム包装物品を簡単に開封することが可能となる。また、被包装物を被覆する被覆フィルムの適切な位置に貫通部を形成し、この貫通部を被覆するように引張片を貼着するだけでよいので、製作は容易であり、被覆フィルムの密封性を損なうこともない。
【００４１】
（２）被包装物を被覆する被覆フィルム表面の一部に貼着された引張片と、引張片および被覆フィルムを貫通して形成された貫通部とを備えたことにより、前述と同様、引張片の周縁部分を手指で摘んで被覆フィルムから引き剥がしていくことにより、刃物などの道具類を使うことなく、被覆フィルム包装物品を簡単に開封することが可能となる。被包装物を被覆する被覆フィルムの適切な位置に引張片を貼着した後、引張片および被覆フィルムを貫通する貫通部を形成するだけでよいので、製作は容易である。被覆フィルムに貼着された前記引張片の表面に、貫通部を被覆する封止材を貼着すれば、空気や水分などの通過を阻止できるため、被覆フィルムの密封性を確保することができる。
【００４２】
（３）被覆フィルムに貼着された引張片の周縁の少なくとも一部に非貼着部を設けることにより、非貼着部を手指で摘んで引張片の剥離を開始することができるので、被覆フィルム開封作業がさらに容易となる。
【００４３】
（４）前記貫通部と引張片を複数箇所に形成することにより、被覆フィルムの切れ目発生源が増加するため、引張片を引き剥がしたとき、いずれかの貫通部から切れ目が生じて、確実に被覆フィルムが切り裂かれるようになり、開封ミスをなくすことができる。
【図面の簡単な説明】
【図１】第１実施形態の被覆フィルム開封構造を示す斜視図である。
【図２】図１に示す被覆フィルム開封構造に基づく開封手順を示す斜視図である。
【図３】第２実施形態の被覆フィルム開封構造を示す部分斜視図である。
【図４】第３実施形態の被覆フィルム開封構造を示す部分斜視図である。
【図５】第４実施形態の被覆フィルム開封構造を示す斜視図である。
【図６】第５実施形態の被覆フィルム開封構造を示す斜視図である。
【図７】その他の実施形態である被覆フィルム開封構造を示す部分平面図である。
【符号の説明】
１０，４０，５０  プラスチック製トレイ
１１，４１，５１  被包装物
１２，２２，３２，４２，５２  ラップフィルム
１３，２３，３３，４３，５３，７０，７１，７２，７３，７４  引張片
１２ａ，１３ａ，２２ａ，２３ａ，３２ａ，３３ａ，４２ａ，４３ａ，５２ａピンホール
１３ｂ，２３ｂ，３３ｂ，７０ａ，７１ａ，７２ａ，７３ａ，７４ａ  非貼着部
１３ｃ，５３ｃ  マーク
１５  ラップフィルム包装物品
４４  封止材
６０，６１，６２，６３，６４  被覆フィルム
６５，６６，６７，６８，６９  貫通部
【図１】
0003644873.tif 000002
【図２】
0003644873.tif 000003
【図３】
0003644873.tif 000004
【図４】
0003644873.tif 000005
【図５】
0003644873.tif 000006
【図６】
0003644873.tif 000007
【図７】
0003644873.tif 000008